(57)【特許請求の範囲】
【請求項１】
床面上に移動可能に設けられた移動什器と、床面上に載置された固定什器とを備えた什器システムであって、
前記固定什器と前記移動什器の一方に設けられ、磁石からなるマグネット部材を有する第一のコネクタと、
前記固定什器と前記移動什器の他方に設けられ、磁性体からなる磁性部材を有し、前記移動什器が前記固定什器に近接した際に、前記第一のコネクタと電気的に接続されるとともに前記マグネット部材に前記磁性部材が磁気的に吸着される第二のコネクタと、
前記第一のコネクタを覆い前記第二のコネクタが挿入可能な開口部が形成されたカバー部材と、
該カバー部材の前記開口部に開閉可能に設けられ、前記移動什器が前記固定什器に近接する動作に連動して前記開口部を開放する開閉部材と、を備えることを特徴とする什器システム。
【請求項２】
前記開口部は、前記マグネット部材の磁気的な吸着力が低減する程度に該マグネット部材から離間する位置に設けられていることを特徴とする請求項１に記載の什器システム。
【請求項３】
前記開閉部材は、前記第二のコネクタに当接され押されることによって前記開口部を開放することを特徴とする請求項１又は２に記載の什器システム。
【請求項４】
前記開閉部材は、前記第二のコネクタが設けられた前記固定什器または前記移動什器の一部に当接され押されることによって前記開口部を開放することを特徴とする請求項１又は２に記載の什器システム。
【発明の詳細な説明】
【技術分野】
【０００１】
本発明は、オフィスや病院、公共施設等における執務空間、および家庭等の居住空間にて使用され、受電部が設置された移動什器と給電部が設置された固定什器とを備える什器システムに関する。
【背景技術】
【０００２】
従来から、物品を載置、収納する手段を有しつつ、床面上を走行可能なカートなどの移動什器が知られている。このような移動什器は、例えば、病院や介護施設等で病室を回診する際などに利用されており、近年、カルテなどの電子化に伴って情報端末などの電子機器を載置可能とするため、電源が組み込まれている。
【０００３】
このような移動什器はコネクタを備えており、移動什器を移動させて移動什器のコネクタを電力供給部のコネクタに電気的に接続させることによって移動什器で電力を取り出せるようにしている（特許文献１参照）。
そして、これらのコネクタには、それぞれマグネット部材が設けられていて、マグネット部材どうしが吸着されることによって、コネクタどうしが接触して電気的に接続されている。なお、電気的に接続された両コネクタは、マグネット部材どうしの吸着力以上の外力によって、その電気的な接続が解除されている。
【０００４】
また、マグネット部材の吸着力を利用したコネクタとして、特許文献２に、ピン端子を備えたプラグと、ピン端子の先端に接触する接触バネを備えたコンセントとを、磁気的な吸着力によって互いに着脱自在としたコネクタが開示されている。
このコンセントには、ピン端子が挿入される通孔が形成されていると共に、通孔を閉鎖する扉部材が設けられている。そして、プラグをコンセントに接続させるときには、プラグのピン端子で扉部材を押し開け、これによりピン端子が通孔に挿入され、ピン端子とコンセント内の接触バネとが接続されている。
【先行技術文献】
【特許文献】
【０００５】
【特許文献１】特開２０１０−１１８２４７号公報
【特許文献２】特開平９−１５３３８５号公報
【発明の概要】
【発明が解決しようとする課題】
【０００６】
しかしながら、特許文献１に開示された什器などでは、什器においてクリップや安全ピンなどの金属片を使用することがあり、コネクタに設けられたマグネット部材に吸着されないようにする必要があった。
【０００７】
本発明は、上述する事情に鑑みてなされたもので、コネクタに設けられたマグネット部材にクリップや安全ピンなどの金属片が吸着されることを防止しつつ、移動什器と固定什器との間で確実にコネクタ同士を接続して受電することができる什器システムを提供することを目的とする。
【課題を解決するための手段】
【０００８】
上記目的を達成するため、本発明に係る什器システムは、床面上に移動可能に設けられた移動什器と、床面上に載置された固定什器とを備えた什器システムであって、前記固定什器と前記移動什器の一方に設けられ磁石からなるマグネット部材を有する第一のコネクタと、前記固定什器と前記移動什器の他方に設けられ磁性体からなる磁性部材を有し前記移動什器が前記固定什器に近接した際に前記第一のコネクタと電気的に接続されるとともに前記マグネット部材に前記磁性部材が磁気的に吸着される第二のコネクタと、前記第一のコネクタを覆い前記第二のコネクタが挿入可能な開口部が形成されたカバー部材と、該カバー部材の前記開口部に開閉可能に設けられ前記移動什器が前記固定什器に近接する動作に連動して前記開口部を開放する開閉部材と、を備えることを特徴とする。
【０００９】
本発明では、マグネット部材を有する第一のコネクタを覆い第一のコネクタと磁性部材が設置された第二のコネクタとが電気的に接続されるときに第二のコネクタが挿入可能な開口部が形成されたカバー部材と、この開口部に開閉可能に設けられ移動什器が固定什器に近接する動作に連動して開口部を開放する開閉部材と、が設けられている。
そして、移動什器が固定什器に近接していないときには、開閉部材によって開口部が閉塞され、第一のコネクタがカバー部材および開閉部材に覆われた状態となるため、マグネット部材の磁気的な吸着力によってクリップや安全ピンなどの金属片が第一のコネクタに吸着されることを防止することができる。
また、移動什器が固定什器に近接する動作に連動して開閉部材が開口部を開放するため、開口部を個別に開放させる必要がなく、移動什器に給電を行う作業性を良好に維持することができる。
【００１０】
また、本発明に係る什器システムでは、前記開口部は、前記マグネット部材の磁気的な吸着力が低減する程度に該マグネット部材から離間する位置に設けられていることが好ましい。
このように、開口部はマグネット部材の磁気的な吸着力が低減する程度にマグネット部材から離間する位置に設けられていることにより、クリップや安全ピンなどの金属片が開口部からカバー部材内に入り込んで第一のコネクタに吸着されることを確実に防止することができる。
【００１１】
また、本発明に係る什器システムでは、前記開閉部材は、前記第二のコネクタに当接され押されることによって前記開口部を開放することが好ましい。
このように、開閉部材は、第二のコネクタに当接され押されることによって開口部を開放することにより、使用者が開口部を開放する手間を省くことができる。そして、第二のコネクタは、開閉部材を押して開口部を開放した後に、そのまま第一のコネクタと接続できるため、移動什器に給電を行う作業性を良好に維持することができる。
【００１２】
また、本発明に係る什器システムでは、前記開閉部材は、前記第二のコネクタが設けられた前記固定什器または前記移動什器の一部に当接され押されることによって前記開口部を開放してもよい。
このように、開閉部材は、第二のコネクタを備える固定什器または移動什器の一部に当接され押されることによって開口部を開放することにより、使用者が開口部を開放する手間を省くことができるため、移動什器に給電を行う作業性を良好に維持することができる。
【発明の効果】
【００１３】
本発明によれば、マグネット部材が設置された第一のコネクタにクリップや安全ピンなどの金属片が吸着することを防止できるため、コネクタどうしを確実に接続できると共に、第一のコネクタに金属片が吸着して通電してしまうことを確実に防止できる。また、移動什器が固定什器に近接する動作に連動して開閉部材が開口部を開放するため、使用者が開口部を開放する手間を省くことができ、移動什器に給電を行う作業性を良好に維持することができる。
【図面の簡単な説明】
【００１４】
【図１】本発明の実施形態による什器システムの一例を示す図である。
【図２】図２は図１に示す什器システム上面図である。
【図３】受電側コネクタおよび給電側コネクタを示す平面図である。
【図４】コネクタガイド部材を示す斜視図である。
【図５】（ａ）はカバー部材および開閉部材を説明する図で受電側コネクタと給電側コネクタとが接続されていない状態を示す側面図、（ｂ）は受電側コネクタと給電側コネクタとが接続された状態を示す側面図である。
【図６】カバー部材および開閉部材の他の形態を示す上面図である。
【発明を実施するための形態】
【００１５】
（什器システム）
以下、本発明の実施形態による什器システムについて、図１乃至図５に基づいて説明する。
図１に示すように、本実施形態による什器システム１は、床面Ｆ上に配設されたテーブル（固定什器）２と、床面Ｆ上を走行可能に配設されたカート３（移動什器）と、を備えている。
カート３は、天板１４に情報端末などの図示しない電子機器を載置可能であり、この電子機器のバッテリーのプラグが差し込まれるコンセントを備える受電部４が設けられている。そして、テーブル２には、受電部４と電気的に接続されたときに受電部４に電力を供給する給電部５が設けられている。
ここで、図１において、テーブル２に対してカート３が近接、離間する方向となる紙面左右方向を、前後方向と称し、紙面右側を前側とし、紙面左側を後側として以下説明する。
【００１６】
テーブル２は、天板６と、天板６を支持し床面Ｆに設置された脚部８と、を備えている。天板６の下方には給電部５が設けられており、給電部５には受電部４の受電側コネクタ（第二のコネクタ）２２と接続される給電側コネクタ（第一のコネクタ）７が設けられている。
【００１７】
カート３は、キャスタ１１を備えていて床面Ｆ上を移動可能な架台１２と、架台１２の上に設置されて物品を収容可能な収納部１３と、収納部１３の上方に設けられて上面に情報端末などの電子機器を載置可能な天板１４と、を備えている。
【００１８】
収納部１３は、架台１２上の左右側縁に立設した側面視倒立Ｕ字形をなす左右１対の側面枠１５，１５により構成されている。
各側面枠１５は、前側に設けられた前部支柱１６と、後側に設けられた後部支柱１７と、前部支柱１６の上端から後側に向けて水平に延び、かつ後部支柱１７に連結された横桟１８とにより枠組みされている。
上下方向を向く前部支柱１６は、カート３の操作時に、障害物等との衝突による収容物の破損を防止する保護部材となる。前後両支柱１６，１７間には、複数のワイヤー部材１９が上下に所望の間隔をもって前後方向に沿って架設されている。 
【００１９】
左右の側面枠１５，１５は、その前側上部間が、左右方向を向く連結杆２０により連結されている。
また、左右の側面枠１５，１５間には、横桟１８と略同じ高さに、天板１４に載置された電子機器のバッテリーを収容可能なバッテリー収容部２１が設けられている。このバッテリー収容部２１は、後側となる後面が開口された箱状に形成されていて、後面から内部にバッテリーを挿入することができる。
バッテリー収容部２１の内部には、バッテリーのプラグが接続可能なコンセントが取り付けられており、バッテリー収容部２１の前面には、このコンセントと接続された受電側コネクタ２２が、前側に突出するように設けられている。このコンセントと受電側コネクタ２２とが受電部４を構成している。
【００２０】
収納部１３内における左右の側面枠１５，１５間には、収容物を収容可能な上下２段のトレイ２３，２３が配設されており、各トレイ２３は、各側面枠１５における前後両支柱１６，１７間に架設されたワイヤー部材１９によって着脱自在に支持されている。
【００２１】
左右の後部支柱１７，１７における各々の上部には、収納部１３の上面より上方に離間する位置において、円弧状をなして前側に折曲させることにより、円弧状の折曲部と、前向部とが形成され、この折曲部により、カート操作用のハンドル部２４，２４が、また前向部により、天板支持部２５，２５がそれぞれ形成されている。左右の両天板支持部２５，２５上には、天板１４が載置され、かつ固定されている。
これにより、収納部１３の上部を構成する横桟１８と、左右の天板支持部２５，２５および天板１４の下面との間には、前側および前後方向に直交する左右方向両側に開口するとともに、後側がハンドル部２４によって閉鎖された凹部２６が形成されている。
【００２２】
この凹部２６は、カート３とテーブル２とが近接または当接したときに、テーブル２の天板６が進入するように構成されている。すなわち、高さ方向の位置がテーブル２の天板６と略等しくなるように形成されているとともに、天板６が挿入可能な高さ寸法となるように天板支持部２５、２５と横桟１８、１８との離間寸法が設定されている。また、凹部２６にテーブル２の天板６が挿入された状態で、カート３の収納部１３がテーブル２の天板６の下方に潜入し、カート３の天板１４および天板支持部２５，２５がテーブル２の天板６の上方に位置している。これにより、カート３の天板１４上に、パソコン等を載置したままの状態で、カート３の収納部１３を、テーブル２の天板６の下方に潜入させて使用することができる。
【００２３】
各天板支持部２５、２５には、ストッパ２７が固定されている。このストッパ２７の上面は、天板支持部２５の上方に突出させることにより、天板１４の下面を支持する天板受け部材を兼ねている。
ストッパ２７の下部は、ハンドル部２４より前側、さらに、カート３の天板１４の後端１４ａより前側における天板支持部２５の下面より垂下するように設けられており、外上方を向くフック片２７ａが設けられている。
そして、ストッパ２７の下部は、凹部２６にテーブル２の天板６が進入したときに、テーブル２の天板６の後端部６ａと当接してテーブル２の天板６が進入する奥行きを規制している。
【００２４】
また、図２に示すように、テーブル２の天板６の下面には、この下面から突出しカート３を移動させて凹部２６に天板６を進入させるときにカート３を案内するカートガイド部材２８が設けられている。
カートガイド部材２８，２８は、凹部２６に天板６が進入したときにカート３の両側方に配設された一対の棒状の部材で、それぞれ延在方向の途中で屈曲している。この屈曲している部分を屈曲点２８ａとする。
一対のカートガイド部材２８，２８は、互いの離間寸法Ｌが、後側となる基端２８ｂにおいてカート３の左右方向の外幅寸法Ｂ、すなわち側面枠１５、１５同士の外幅寸法よりも大きいとともに、前側となる先端側に向かうに従って次第に小さくなり、屈曲点２８ａにおいてカート３の左右方向の外幅寸法Ｂと略等しくなり、先端側まで延設されている。
【００２５】
このため、カート３を移動させて凹部２６にテーブル２の天板６を進入させるときにカート３の位置がずれたとしても、カート３の前部支柱１６がカートガイド部材２８と当接することによって、カート３が左右方向に正しい位置に案内される。また、カート３を前側に所定位置まで移動すると、テーブル２の天板６の縁部がストッパ２７（図１参照）に当接し、前側への移動が規制される。
【００２６】
そして、図１に示すように、カート３の凹部２６にテーブル２の天板６が進入し、ストッパ２７によってテーブル２に対してカート３が位置決めされた状態で、受電部４と給電部５とが電気的に接続され、給電部５から受電部４に電力が供給されている。具体的には、カート３のバッテリー収容部２１の前側に設けられた受電側コネクタ（第二のコネクタ）２２と、テーブル２の下側に設けられた給電部５の給電側コネクタ（第一のコネクタ）７とが電気的に接続される。受電側コネクタ２２と給電側コネクタ７は、床面Ｆから略同じ高さに設置されている。
【００２７】
（コネクタ）
図３に示すように、受電側コネクタ２２には、給電側コネクタ７が嵌合される凹部４１が形成されていて、この凹部４１内には前側に突出するピン端子４２が設けられている。
そして、給電側コネクタ７には、孔部４３が形成されていて、給電側コネクタ７と受電側コネクタ２２とが嵌合されると、この孔部４３に受電側コネクタ２２のピン端子４２が挿入される。
【００２８】
また、受電側コネクタ２２と給電側コネクタ７との間には、互いを磁気的に吸着させるマグネット機構５１が設けられている。
マグネット機構５１は、給電側コネクタ７に設けられたマグネット部材５２と、受電側コネクタ２２に設けられてマグネット部材５２に磁気的に吸着される磁性体からなる磁性部材５３とを備えている。磁性部材５３としては、例えば鉄などの金属部材でも良いし、自身もマグネットからなるものとしても良い。また、互いに磁気的に吸着されたマグネット部材５２と磁性部材５３とは、その吸着力よりも大きい外力によって、互いに離間できるように構成されている。
【００２９】
また、図４に示すように、給電側コネクタ７の側方および上方には、受電側コネクタ２２（図３参照）が移動して給電側コネクタ７に接続されるときに、給電側コネクタ７の位置をガイドするコネクタガイド部材５４が設けられている。
コネクタガイド部材５４には、後側から前側に向って給電側コネクタ７に近づく第一の傾斜面５４ａ及び一対の第二の傾斜面５４ｂが形成されている。第一の傾斜面５４ａは、給電側コネクタ７の上方に、下方に向くように設けられていて、後側から前側に向かって次第に下方へ向かうように傾斜している。また、一対の第二の傾斜面５４ｂは、給電側コネクタ７の左右方向両側に、互いに向き合い、かつ、後側から前側に向かって次第に互いに接近するように傾斜している。
そして、受電側コネクタ２２が第一の傾斜面５４ａに下方に案内され、また、第二の傾斜面５４ｂに左右方向に案内されて移動することで、受電側コネクタ２２の位置が給電側コネクタ７の位置に整合され、受電側コネクタ２２と給電側コネクタ７とを確実に接続することができる。
【００３０】
（カバー部材）
図５（ａ）に示すように、給電側コネクタ７及びコネクタガイド部材５４は、カバー部材６１によって囲われている。カバー部材６１は、給電側コネクタ７を覆うように設けられるとともに、前側に開口部６２が形成され、前側の開口部６２のみから給電側コネクタ７へのアクセスを可能としている。また、カバー部材６１には、開口部６２を開閉するための開閉部材６３が回動可能に取り付けられている。
【００３１】
開閉部材６３は、開口部６２を閉塞可能な略矩形板状の部材で、上端部６３ａがカバー部材６１に左右方向に沿った軸回りに回転可能に取り付けられている。
そして、開閉部材６３は、外力が作用しないとカバー部材６１から垂下した状態となり、この状態で開口部６２を閉塞している。また、開閉部材６３は、外力によってその面方向となる前後方向前側に向かって押されることによって上端部６３ａを中心に前側へと回転し開口部６２を開放することができる。
【００３２】
図５（ｂ）に示すように、この開口部６２は、受電側コネクタ２２と給電側コネクタ７とを電気的に接続するときに、受電側コネクタ２２の少なくとも前端側をカバー部材６１の内部に挿入するために形成されていて、受電側コネクタ２２の前面視形状よりもやや大きく形成されている。
受電側コネクタ２２と給電側コネクタ７とを電気的に接続するときは、使用者がカート３を前側に移動させることで、開閉部材６３は、受電側コネクタ２２によって、後側へと押し開けられて開口部６２を開放する。また、図５（ａ）に示すように、受電側コネクタ２２と給電側コネクタ７との電気的な接続を解除するときには、使用者がカート３を後側に移動させることで、開閉部材６３は、重力によって垂下した状態となり開口部６２を閉塞する。
ここで、開口部６２および開閉部材６３は、給電側コネクタ７のマグネット部材５２の磁気的な吸着力が低減する程度にマグネット部材５２から離間する位置に設けられていることが好ましい。具体的には、本実施形態の什器システム１において使用され得る安全ピンやクリップなどの金属片からなる部材が、マグネット部材５２の磁力によって吸着され得ない程度に、当該磁力が低減するだけマグネット部材５２から離間した位置に開口部６２および開閉部材６３が設けられていることが好ましい。
【００３３】
次に、カート３の受電部４に給電を行う動作について説明する。
まず、図１に示すように、テーブル２と離間しているカート３を移動させて、カート３をテーブル２に近接させる。このとき、カート３をテーブル２の天板６の下側に設けられたカートガイド部材２８（図２参照）に沿って移動させ、カート３の凹部２６にテーブル２の天板６を進入させる。
そして、図５（ａ）に示す受電側コネクタ２２を開閉部材６３に当接させ、そのまま前側にカート３（図１参照）を前側へ移動させる。これにより、受電側コネクタ２２は開閉部材６３を押しあけて、開口部６２を開放させる。そして、更にカート３を前側に移動させて、図５（ｂ）に示すように、受電側コネクタ２２と給電側コネクタ７とを嵌合させ電気的に接続させる。これにより給電部５から給電側コネクタ７および受電側コネクタ２２を介して受電部４に電力が供給される。
【００３４】
このとき、カバー部材６１の内部に挿入された受電側コネクタ２２は、コネクタガイド部材５４（図３参照）に沿って給電側コネクタ７側に移動するため、その高さおよび幅方向の位置が給電側コネクタ７の位置に整合され、受電側コネクタ２２と給電側コネクタ７とが確実に接続される。
また、給電側コネクタ７と受電側コネクタ２２との間には、マグネット機構５１が設けられていることにより、給電側コネクタ７と受電側コネクタ２２とが磁気的に吸着して確実に接続される。
【００３５】
次に、上述した什器システムの効果について図面を用いて説明する。
本実施形態による什器システム１によれば、カート３とテーブル２とが離間しているときは、マグネット部材５２が設置された給電側コネクタ７がカバー部材６１および開閉部材６３で覆われた状態となる。
これにより、給電側コネクタ７のマグネット部材５２の吸着力によって給電側コネクタ７にクリップや安全ピンなどの金属片が吸着することを防止することができるため、金属片が介在することなく受電側コネクタ２２と給電側コネクタ７とを確実に接続することができると共に、給電側コネクタ７に金属片が吸着して通電してしまうことを確実に防止できる。
【００３６】
また、給電側コネクタ７の電極に使用者が誤って接触してしまうことも確実に防止できる。
また、カート３をテーブル２に近接させると、これに連動して給電側コネクタ７が開閉部材６３を押して開口部６２を開放するため、使用者が個別に開口部６２を開放させる必要がなく、カート３に給電を行う作業性を良好に維持することができる。
【００３７】
以上、本発明による什器システムの実施形態について説明したが、本発明は上記の実施形態に限定されるものではなく、その趣旨を逸脱しない範囲で適宜変更可能である。
例えば、上述した実施形態では、開閉部材６３は、左右方向に沿った軸回りに回転可能であるが、図６に示すような、鉛直方向に沿った軸回りに回転可能とするとともに、２つの部材としてもよい。図６は上方から什器システムを見た図とする。この場合、開閉部材６３は、開口部６２を閉塞する方向にばねなどの付勢部材により付勢されており、受電側コネクタ２２に押されることによって水平方向に回転して開口部６２を開放している。このように付勢部材による付勢により開閉部材６３が開口部６２を閉塞した状態としつつ、付勢部材による付勢に抗して外力が作用した場合に開口部６２を開放するようにしても良い。
【００３８】
また、上述した実施形態では、給電側コネクタ７にマグネット部材５２が取り付けられて、受電側コネクタ２２に磁性部材５３が取り付けられているが、給電側コネクタ７に磁性部材５３が取り付けられていて受電側コネクタ２２にマグネット部材５２が取り付けられていてもよい。そして、受電部４をカバー部材６１で囲い、給電側コネクタ７で開閉部材６３を開放する構成としてもよい。
また、上述した実施形態では、受電側コネクタ２２で開閉部材６３を押し開けているが、受電側コネクタ２２に代わってカート３の一部で開閉部材６３を押し開ける構成としても良い。
【００３９】
また、上述した実施形態では、カート３を移動什器としているが、カート３に代わって移動可能なテーブルやキャビネットなどを移動什器としてもよく、また、テーブル２以外の什器を固定什器としても良い。このとき、受電部４と給電部５が設けられる場所は適宜設定されて良い。
また、上述した実施形態では、受電側コネクタ２２をガイドするコネクタガイド部材５４が設けられているが、コネクタガイド部材５４を備えない構成としてもよい。
また、本実施形態では、カバー部材６１は、給電側コネクタ７を覆っているが、給電側コネクタ７および給電部５を覆っていてもよい。
【符号の説明】
【００４０】
１  什器システム
２  テーブル（固定什器）
３  カート（移動什器）
４  受電部
５  給電部
６  天板
７  給電側コネクタ（第一のコネクタ）
２２  受電側コネクタ（第二のコネクタ）
５２  マグネット部材
５３  磁性部材
６１  カバー部材
６２  開口部
６３  開閉部材
Ｆ  床面
【図１】
0005663222.tif 000002
【図２】
0005663222.tif 000003
【図３】
0005663222.tif 000004
【図４】
0005663222.tif 000005
【図５】
0005663222.tif 000006
【図６】
0005663222.tif 000007